(57)【特許請求の範囲】
【請求項１】
流れを伴った液体に流体を吐出する吐出口を有する吹込管と、
前記吐出口よりも前記液体の流れの上流側に設けられた偏流部材と
を有し、
前記偏流部材は、前記吹込管に取り付けられており、前記吐出口から吐出される前記流体が前記液体中において到達する領域の前記液体の流れが、前記領域よりも上流側の前記液体の流れよりも高速となるように、前記液体の流れを変化させる、
流体吹込装置。
【請求項２】
前記偏流部材は、板状部材であり、前記板状部材の表面が前記液体の流れに対して所定の角度の傾きをもって設けられている、
請求項１に記載の流体吹込装置。
【請求項３】
前記偏流部材は、前記液体の流れの下流側に位置する部分が、前記液体の流れの上流側に位置する部分よりも前記吐出口の近くに設けられている、
請求項１又は２に記載の流体吹込装置。
【請求項４】
前記流体は、前記液体に含まれる物質と化学反応する物質を含む、
請求項１乃至３のいずれか一項に記載の流体吹込装置。
【請求項５】
前記流体は、気体である、
請求項１乃至４のいずれか一項に記載の流体吹込装置。
【請求項６】
液体が収容される容器と、
前記容器に収容された前記液体に流体を供給する請求項１乃至５のいずれか一項に記載の流体吹込装置と
を備え、
前記流体吹込装置から前記容器に収容された前記液体に対して前記流体を吐出させることで、前記流体と前記液体とを化学反応させる、
化学反応装置。
【発明の詳細な説明】
【技術分野】
【０００１】
本発明は、流体吹込装置及びこれを用いた化学反応装置に関する。
【背景技術】
【０００２】
液体と流体とを混合して化学反応させる化学反応装置において、流れを伴った液体に流体を吹き込んで、液体と流体との間で物質移動、熱移動、化学反応等の反応を生じさせる方法が様々な産業分野において用いられている。これらの反応は液体と流体との界面を介して生じるため、液体と流体とが接触する界面の面積を大きくすることで、反応効率を向上させることができる。
【０００３】
界面の面積を大きくする方法としては、多数の小孔が設けられたノズルから気体を供給することで、液体中に微細な気泡を多量に供給する方法が知られている（例えば、特許文献１参照）。
【先行技術文献】
【特許文献】
【０００４】
【特許文献１】特開２００６−３３４５５６号公報
【発明の概要】
【発明が解決しようとする課題】
【０００５】
しかしながら、上記方法では、ノズルに設けられた小孔の開口径が小さいため、気泡と液体とが反応して固体が生成される場合や、固体粒子が懸垂している液体に気泡を供給する場合には、液体中の固体粒子によってノズルの小孔が目詰まりすることがある。その結果、ノズルから液体中に気泡を安定的に供給することができなくなることがある。
【０００６】
そこで、本発明の一つの案では、微細な気泡又は液滴を安定的に液体中へ供給することが可能な流体吹込装置を提供することを目的とする。
【課題を解決するための手段】
【０００７】
一つの案では、流れを伴った液体に流体を吐出する吐出口を有する吹込管と、前記吐出口よりも前記液体の流れの上流側に設けられた偏流部材とを有し、前記偏流部材は、前記吹込管に取り付けられており、前記吐出口から吐出される前記流体が前記液体中において到達する領域の前記液体の流れが、前記領域よりも上流側の前記液体の流れよりも高速となるように、前記液体の流れを変化させる、流体吹込装置が提供される。
【発明の効果】
【０００８】
一態様によれば、微細な気泡又は液滴を安定的に液体中へ供給することができる。
【図面の簡単な説明】
【０００９】
【図１】本発明の一実施形態に係る気体吹込装置の概略図である。
【図２】本発明の一実施形態に係る気体吹込装置を用いたときの液体の流速のシミュレーション結果を示す図である。
【図３】本発明の一実施形態に係る気体吹込装置の他の例を示す概略斜視図である。
【図４】本発明の一実施形態に係る気体吹込装置の更に他の例を示す概略斜視図である。
【図５】実施例１で生成された気泡を説明するための図である。
【図６】実施例１で生成された気泡の直径と発生頻度を示すグラフである。
【図７】実施例２で生成された気泡を説明するための図である。
【図８】比較例１で生成された気泡を説明するための図である。
【図９】比較例１で生成された気泡の直径と発生頻度を示すグラフである。
【図１０】実施例１及び比較例１で生成された気泡の直径の累積頻度分布を示すグラフである。
【発明を実施するための形態】
【００１０】
以下、本発明の流体吹込装置の一例として、流れを伴った液体に対して流体の一例としての気体を吹き込む気体吹込装置について説明するが、本発明はこの点において限定されるものではなく、流れを伴った液体に液体を吹き込む液体吹込装置であってもよい。なお、液体吹込装置の場合には、吹き込まれる液体と吹き込む液体とが異なる液体の場合に適用可能である。
【００１１】
図１は、本発明の一実施形態に係る気体吹込装置の概略図である。具体的には、図１（ａ）及び（ｂ）は、各々、本発明の一実施形態に係る気体吹込装置の概略側面図及び概略斜視図である。
【００１２】
以下、上流側から下流側に向かって同一の方向に直線的に流れている液体（図１の矢印Ｌｆ参照）中に、垂直方向の上方側から気体吹込管１１を挿入することで、液体に対して気体を吐出する場合を例として説明する。なお、図１（ａ）において、紙面に対して垂直方向がＸ方向、上下方向がＹ方向、左右方向がＺ方向である。
【００１３】
図１（ａ）及び（ｂ）に示すように、本発明の一実施形態に係る気体吹込装置は、気体吹込管１１と、偏流部材１２とを有する。
【００１４】
気体吹込管１１は、Ｙ方向を長手方向とし、Ｙ方向からの平面視における形状が円形である管状部材である。気体吹込管１１の一端（図１の−Ｙ方向の先端）には、気体を吐出する吐出口１１ａが設けられている。気体吹込管１１の他端には、気体吹込管１１に気体を供給する気体供給源が接続されている。そして、気体供給源から供給される気体は、気体吹込管１１の一端に設けられた吐出口１１ａから吐出される。係る気体吹込管１１の吐出口１１ａを液体中に挿入した後、吐出口１１ａから気体を吐出させることで、液体中に気体が吐出される。
【００１５】
偏流部材１２は、吐出口１１ａよりも上流側に設けられ、吐出口１１ａから吐出される気体が液体中において到達する領域（以下「気泡領域」ともいう。）の液体の流れが気泡領域よりも上流側の液体の流れよりも高速となるように液体の流れを変化させる部材である。気泡領域は、液体の流速、吐出口１１ａの直径及び吐出口１１ａから吐出される気体の流速に基づいて算出される。
【００１６】
気泡領域は、ナビエ-ストークス方程式を解いて求められる。具体的に説明すると、気体を上向きに吹き込む際は吐出口よりも上の領域であり、気体を下向きに吹き込む際は、吐出口の近くでは吐出口よりも下の領域、遠くでは上の領域が含まれる。
【００１７】
偏流部材１２は、平面視においてＶ字形状を有する板状部材であり、板状部材の表面が液体の流れに対して所定の角度θの傾きをもって設けられている。所定の角度θとしては、偏流部材に衝突後の流れと非衝突の流れの速度差が大きくなるという観点から、３０°以上９０°以下であることが好ましい。
【００１８】
また、偏流部材１２は、液体の流れの下流側に位置する部分が液体の流れの上流側に位置する部分よりも吐出口１１ａの近くに設けられ、液体の流れの下流側に位置する部分が気体吹込管１１に取り付けられている。
【００１９】
係る構成を有する気体吹込装置において、吐出口１１ａから吐出される気体は、気泡領域を流れる液体と接触する。このとき、気体吹込装置には、気泡領域の液体の流れが気泡領域よりも上流側の液体の流れよりも高速となるように偏流部材１２が設けられている。このため、液体の流れと気体の流れとの間の速度差が大きくなり、液体による気体に対するせん断作用が大きくなる。結果として、吐出口１１ａから吐出される気体は、高速流となった液体によるせん断作用によって細かく分断され、微細な気泡となる。すなわち、微細な気泡を液体中に供給することができる。
【００２０】
また、係る気体吹込装置では、偏流部材１２が気体吹込管１１の外部である吐出口１１ａの上流側に設けられている。さらに、吐出口１１ａの吐出方向とは逆側に設けられている。このため、液体と気体とが反応して固体が生成される場合や、固体粒子が懸垂している液体に気体を供給する場合であっても、液体中の固体粒子によって吐出口１１ａが閉塞することを抑制することができる。結果として、気体を安定的に液体中に供給することができる。
【００２１】
次に、液体の流れについて、図１及び図２を参照しながら説明する。図２は、本発明の一実施形態に係る気体吹込装置を用いたときの液体の流速のシミュレーション結果を示す図である。なお、図２中の矢印は液体の流れの方向を示している。また、図２において、領域Ｚ１の流速が最も速く、領域Ｚ２、領域Ｚ３、領域Ｚ４、領域Ｚ５、領域Ｚ６、領域Ｚ７、領域Ｚ８、領域Ｚ９、領域Ｚ１０、領域Ｚ１１、領域Ｚ１２の順に流速が速いことを示している。
【００２２】
図１及び２に示すように、上流側から下流側に向かって流れる液体のうち偏流部材１２と接触する流れは、偏流部材１２により吐出口１１ａの近傍の方向にその向きが変えられる（図１（ａ）の矢印Ａ参照）。一方、上流側から下流側に向かって流れる液体のうち偏流部材１２と接触しない流れは、偏流部材１２によりその向きが変えられない、又はほとんど変えられない（図１（ａ）の矢印Ｂ参照）。そして、これらの液体の流れが、吐出口１１ａの近傍において合流することで、吐出口１１ａの近傍の気泡領域の液体の流れ（図１（ａ）の矢印Ｃ参照）が気泡領域よりも上流側の液体の流れ（図１（ａ）の矢印Ｌｆ参照）よりも高速となる。
【００２３】
以上に説明したように、本発明の一実施形態に係る気体吹込装置は、流れを伴った液体に流体を吐出する吐出口１１ａを有する気体吹込管１１と、吐出口１１ａよりも液体の流れの上流側に設けられた偏流部材１２とを有し、偏流部材１２は、気泡領域の液体の流れが気泡領域よりも上流側の液体の流れよりも高速となるように、液体の流れを変化させる。このため、微細な気泡を安定的に液体中へ供給することができる。
【００２４】
以上、図面を参照しながら本発明の一実施形態に係る流体吹込装置について説明したが、本発明は上記実施形態に限定されるものではなく、本発明の範囲内で種々の変形及び改良が可能である。
【００２５】
前述の気体吹込装置では、偏流部材１２が平面視においてＶ字形状を有する構成について説明したが、本発明はこの点において限定されるものではない。偏流部材１２は、例えば図３に示すように平面視において三角形状を有していてもよく、例えば図４に示すように漏斗形状を有していてもよい。
【００２６】
このように、偏流部材１２としては、種々の形状を有する構成が挙げられるが、以下の観点から平面視においてＶ字形状を有することが好ましい。すなわち、偏流部材１２が平面視においてＶ字形状を有する場合、図１（ｂ）に示すように、偏流部材１２に衝突した液体の一部は、偏流部材１２に衝突しない液体と合流して、Ｖ字形状の外側を通る流れ（図１（ｂ）の矢印Ｄ参照）と、Ｖ字形状の内側を通る流れ（図１（ｂ）の矢印Ｅ参照）とが生じる。このうち、Ｖ字形状の内側を通る流れは狭い空間に集められて偏流部材１２を通過するものであるため、Ｖ字形状の外側を通る流れよりも速い高速流となる。そして、吐出口１１ａから供給される気体は、偏流部材１２と気体吹込管１１との間の空間が低圧となっているため、この空間に引き込まれ、高速流のせん断作用によって分断される。このため、特に微細な気泡を液体中へ供給することができる。
【００２７】
また、前述の気体吹込装置では、偏流部材１２が気体吹込管１１に取り付けられている構成について説明したが、本発明はこの点において限定されるものではない。偏流部材１２は、例えば図４に示すように、気体吹込管１１に取り付けられることなく、別途設けられた支持機構１３により液体中に保持されていてもよい。
【００２８】
また、前述の気体吹込装置では、気体吹込管１１が挿入される方向として、垂直方向の上方から下方に向かって挿入される構成について説明したが、本発明はこの点において限定されるものではない。例えば気体吹込管１１は、垂直方向の下方から上方に向かって挿入される構成であってもよく、水平方向から挿入される構成であってもよい。
【００２９】
このように、気体吹込管１１が挿入される方向としては種々の構成が挙げられるが、吐出される気体の運動量が浮力で減殺され、気体の移動方向が液体の流れにより容易に制御できるという観点から、垂直方向の上方から下方に挿入される構成が好ましい。
【００３０】
また、本発明の一実施形態に係る気体吹込装置は、吐出口１１ａから吐出される気体として、液体に含まれる物質と化学反応する物質を用いることで液体と気体との界面において液体と気体とを化学反応させる化学反応装置の一部として用いられる。化学反応装置は、例えば液体が収容される容器と、液体に気体を供給する気体吹込装置とを備え、必要に応じて気体の流速を上げる流送装置や、気体の流量を減らす流量調整弁を備える。
【００３１】
以上に説明したように、本発明の一実施形態に係る気体吹込装置によれば、微細な気泡を安定的に液体中へ供給することができる。このため、液体と気体とが接触する界面の面積を大きくすることができる。結果として、液体と気体とを化学反応させる化学反応装置において、気体と液体中に含まれる物質との間の反応効率を向上させることができる。
【００３２】
なお、気体の種類としては、例えば酸素、塩素、水素、硫化水素等を用いることができ、液体の種類としては、例えば水溶液、有機溶媒、液体塩素、熔融金属等を用いることができる。
【実施例】
【００３３】
以下、実施例により詳細に説明するが、本発明はこれらの実施例に限定されるものではない。
【００３４】
（実施例１）
実施例１では、流速１．６ｍ／秒で水平方向に流れる水中に、水の流れに対して垂直方向の上方から図１に示した気体吹込管１１と偏流部材１２とを有する気体吹込装置を挿入し、吐出口１１ａから水中に空気を３Ｌ／分の流量で吐出させた。なお、気体吹込管１１の直径を７ｍｍ、偏流部材１２の水の流れの方向に対する角度θを６０°とした。
【００３５】
また、気体吹込装置から水中に空気を吐出させたときの気泡の生成挙動の可視化を行った。図５は、気泡の生成挙動を可視化した画像を示す図である。なお、図５において、左側が水の流れの上流側であり、右側が水の流れの下流側である。
【００３６】
図５に示すように、吐出口１１ａから水中に吐出された空気のうちの一部が偏流部材１２と気体吹込管１１との間の領域に引き込まれた後に下流側へ流されていることが確認できた。また、残りの空気は、吐出口１１ａから偏流部材１２が設けられた側に向かうことなく、浮上しながら下流側へ流されていることが確認できた。そして、いずれの流れ方をした空気も、気泡領域の高速流によって分断され、微細な気泡となった後に速やかに下流側へ流されていることが確認できた。
【００３７】
続いて、図５の画像を用いて解析を行うことにより、気泡の直径（以下「気泡径」ともいう。）を算出した。なお、偏流部材１２が設けられた位置よりも下流側に存在する気泡を球と仮定したときの球の体積から気泡径を算出した。
【００３８】
算出した結果を図６及び図１０に示す。図６は、実施例１で生成された気泡の直径と発生頻度を示すグラフである。図１０は、実施例１及び比較例１で生成された気泡の直径の累積頻度分布を示すグラフである。なお、図６における横軸は気泡径（ｍｍ）を表し、縦軸は頻度（％）を表す。また、図１０における横軸は気泡径（ｍｍ）を表し、縦軸は累積頻度（％）を表す。なお、本願でいう頻度および累積頻度は体積基準のものである。
【００３９】
図６及び図１０に示すように、吐出口１１ａから吐出された空気のうちの６２％が直径１．４ｍｍ以下の気泡になっていることが確認できた。また、吐出口１１ａから吐出された空気のうちの９４％が直径２．８ｍｍ以下の気泡になっていることが確認できた。
【００４０】
（実施例２）
実施例２では、実施例１で用いた気体吹込装置に代えて、図３に示した気体吹込装置を用いて、実施例１と同様の方法により、気体吹込装置から水中に空気を吐出させたときの気泡の生成挙動の可視化を行った。図７は、実施例２で生成された気泡を説明するための図である。なお、図７において、左側が水の流れの上流側であり、右側が水の流れの下流側である。
【００４１】
図７に示すように、実施例１の場合と同様に、吐出口１１ａから水中に吐出された空気のうちの一部が偏流部材１２と気体吹込管１１との間の領域に引き込まれた後に下流側へ流されていることが確認できた。また、残りの空気は、吐出口１１ａから偏流部材１２が設けられた側に向かうことなく、浮上しながら下流側へ流されていることが確認できた。そして、いずれの流れ方をした空気も、気泡領域の高速流によって分断され、微細な気泡となった後に速やかに下流側へ流されていることが確認できた。
【００４２】
（比較例１）
比較例１では、流速１．６ｍ／秒で水平方向に流れる水中に、水の流れに対して垂直方向の上方から偏流部材１２を有していない気体吹込装置を挿入し、吐出口１１ａから水中に空気を３Ｌ／分の流量で吐出させた。なお、偏流部材１２を有していない点以外は、実施例１の気体吹込装置と同様の構成を用いた。
【００４３】
また、実施例１と同様の方法により、気体吹込装置から水中に空気を吐出させたときの気泡の生成挙動の可視化を行った。図８は、気泡の生成挙動を可視化した画像を示す図である。なお、図８において、左側が水の流れの上流側であり、右側が水の流れの下流側である。
【００４４】
図８に示すように、吐出口１１ａから水中に吐出された空気は、水の流れに乗ってゆっくりと下流側へと流されていることが確認できた。また、水中に吐出された空気の一部は水の流れによって小さい気泡となって下流側へと流されているが、水中に吐出された空気のほとんどは小さい気泡となることなく下流側へと流されていることが確認できた。
【００４５】
続いて、図８の画像を用いて解析を行うことにより、気泡径を算出した。なお、実施例１と同様の算出方法を用いた。
【００４６】
算出した結果を図９及び図１０に示す。図９は、比較例１で生成された気泡の直径と発生頻度を示すグラフである。なお、図９における横軸が気泡径（ｍｍ）を表し、縦軸が頻度（％）を表す。
【００４７】
図９及び図１０に示すように、吐出口１１ａから吐出された空気のうちの４７％が直径１．４ｍｍ以下の気泡になっていることが確認できた。また、吐出口１１ａから吐出された空気のうちの８２％が直径２．８ｍｍ以下の気泡になっていることが確認できた。
【００４８】
以上により、実施例１及び実施例２では、比較例１の場合と比較して、微細な気泡を安定的に液体中へ供給することができることが確認できた。
【符号の説明】
【００４９】
１１    気体吹込管
１１ａ  吐出口
１２    偏流部材
１３    支持機構
【図１】
0006377575.tif 000002
【図２】
0006377575.tif 000003
【図３】
0006377575.tif 000004
【図４】
0006377575.tif 000005
【図５】
0006377575.tif 000006
【図６】
0006377575.tif 000007
【図７】
0006377575.tif 000008
【図８】
0006377575.tif 000009
【図９】
0006377575.tif 000010
【図１０】
0006377575.tif 000011